(57)【要約】      （修正有）【課題】レバー或いは取っ手の操作によって容器上を自在に回転または開閉する蓋体を組み合わせた急須を提供する。【解決手段】精巧で簡素な構造と便利な操作という効果を備える急須は、剛性壁１１で区切られた容器１０と蓋体２０との組み合わせによるもので、容器には、開口と、開口と蓋体のスカート部２２間に形成する制限部１４と溝１５と、制限部と溝に対応するショルダー部２３とを含む。ショルダー部は、溝に進入可能で、回転後、制限部と係合状態を生じさせ、容器の開口は蓋体によって封鎖される。また、レバー或いは取っ手３０を蓋体上に配置し、前記蓋体の容器上での自在な回転や開閉をコントロールし、並びに、特別な視覚効果を備える。【選択図】図２
0003169332.tif 000002
【実用新案登録請求の範囲】
【請求項１】
剛性壁で区切られた容器と回転可能な蓋体とを組み合わせた急須であって、
内部空間と開口を備える容器と、
上部と、上部下方に形成するスカート部とを備える蓋体とを備え、
開口とスカート部との間には、少なくとも制限部と溝とを配置し、
他の一方側に前記溝と制限部に対応するショルダー部と切口とを配置し、
並びに、ショルダー部と溝を向き合わせた時、蓋体を回転させると、制限部は、ショルダー部箇所に対応するか対応せずに、容器の開口を閉鎖または閉鎖しない状態をなし、
手で回転させるために適当なレバー或いは取っ手を、蓋体上に配置することを特徴とする急須。
【請求項２】
前記制限部と溝は、容器開口箇所に配置し、並びに、ショルダー部と切口は、蓋体のスカート部上に配置することを特徴とする請求項１に記載の急須。
【請求項３】
前記制限部と溝は、蓋体のスカート部箇所に配置し、並びに、ショルダー部と切口は、容器の開口箇所に配置することを特徴とする請求項１に記載の急須。
【請求項４】
前記容器制限部は、溝と相隣することを特徴とする請求項１、２、３の何れか一項に記載の急須。
【請求項５】
前記制限部は、蓋体と容器が被嵌状態にある時、蓋体上部とショルダー部間に位置することを特徴とする請求項１、２、３の何れか一項に記載の急須。
【請求項６】
前記レバー或いは取っ手は、蓋体と一体成型をなす形態であることを特徴とする請求項１、２、３の何れか一項に記載の急須。
【請求項７】
前記制限部は、環状輪廓の如き突出肋骨形態をなし、制限部間は溝で区切られることを特徴とする請求項１、２、３の何れか一項に記載の急須。
【請求項８】
前記ショルダー部は、突出体の如き形態をなし、ショルダー部間は環状輪廓の如き切口で区切られることを特徴とする請求項１、２、３の何れか一項に記載の急須。
【請求項９】
前記レバー或いは取っ手は、着脱可能状態で蓋体上に配置されることを特徴とする請求項１、２、３の何れか一項に記載の急須。
【請求項１０】
前記蓋体の上部には嵌合部を配置し、前記嵌合部に対応するレバー或いは取っ手に挿入結合部を設けることにより、レバー或いは取っ手と蓋体嵌合部に枢着形態を形成することを特徴とする請求項９に記載の急須。
【請求項１１】
前記嵌合部は、突出耳の如き形態をなし、固定孔を備え、レバー或いは取っ手の挿入結合部には、前記嵌合部の固定孔に対応する固定孔を配置し、固定器を固定孔に枢着することにより、レバー或いは取っ手と蓋体嵌合部には枢着形態が形成されることを特徴とする請求項１０に記載の急須。
【請求項１２】
前記容器には剛性壁上に形成する挟込式補助柄を配置し、尚且つ、蓋体と容器が相対的に回転する中、蓋体のレバー或いは取っ手は、挟込式補助柄の上方付近まで回転することを特徴とする請求項１乃至１１の何れか一項に記載の急須。
【考案の詳細な説明】
【技術分野】
【０００１】
本考案は、容器の構造設計に関し、特に、急須に、レバー或いは取っ手の操作によって容器上を自在に回転または開閉する蓋体を組み合わせた、新規性を備える急須に係る。
【背景技術】
【０００２】
容器上に組み合わせて取り付け、容器と蓋が密閉したカップ形態を構成することにより、液体、お茶、飲料を中に入れる急須や容器の構造は、一般に知られている技術であり、この技術は、本業界においては既に成熟した技術領域に属する。
【０００３】
公知技術で既に開示されているカップは、使用者が親指で梃子形態の板片または立体をプッシュするかそれを移動させることによって、カップの蓋を開けるかカップの蓋をカップ口から離すように動かす方法である。
【０００４】
また、公知技術における前記のような急須或いは容器の設計には、容器上に使用者が握り持つための耳部或いは柄部を配置している。容器の表面に、カラーの絵柄や図案を設計する場合、耳部或いは柄部の構造に制限されて、全体のデザインが途切れ、突然変化を起こしたり不完全な絵柄や図案となったりすることもあり、これは、我々が期待していないことである。
【０００５】
使用者の操作過程を再度考慮した代表的な例をあげる。カップの蓋を回転可能にして開閉作用を起こさせ、尚且つ、公知のものとは異なる構造で、使用形態を改善できるなら、公知技術とは異なるものとなる。また、便利な操作を実現する設計構造であるという条件のもと、取っ手と蓋体を組み合わせたメカニズムを提供し、特別なデザインと視覚効果を備えた設計等の手段を構築する。前述したものは、前記特許中では具体的に公開や開示がなされていないものである。
【考案の概要】
【考案が解決しようとする課題】
【０００６】
本考案の主な目的は、精巧で簡素な構造と便利な操作という効果を備える急須の提供にある。剛性壁で区切られた容器と蓋体との組み合わせによるもので、容器には、開口と、開口と蓋体のスカート部間に形成する制限部と溝と、制限部と溝に対応するショルダー部とを含む。ショルダー部は、溝に進入可能で、回転後、制限部と係合状態を生じさせ、容器の開口は蓋体によって封鎖される。また、レバー或いは取っ手を蓋体上に配置し、前記蓋体の容器上での自在な回転や開閉をコントロールし、並びに、特別な視覚効果を備える設計を作り出す。
【課題を解決するための手段】
【０００７】
本考案の急須において、蓋体は、上部と上部下方向に形成するスカート部を備える。ショルダー部はスカート部上に形成し、ショルダー部と溝とを向き合わせた時、スカート部は容器の開口に進入し、これによって、蓋体は回転可能状態で容器を封鎖する。
【０００８】
本考案の急須において、蓋体の上部には嵌合部を設ける。レバー或いは取っ手には前記嵌合部に対応する挿入結合部を配置し、嵌合部と枢着させる故、レバー或いは取っ手と蓋体とは自在に着脱可能な形態となる。並びに、異なるデザインのレバー或いは取っ手を蓋体上に組み合わせることにより、特別な視覚効果を生じさせる設計を提供する。
【考案の効果】
【０００９】
本考案の急須は、急須と蓋体とを組み合わせたもので、レバー或いは取っ手によって急須上を自在に回転したり開閉する蓋体が容器を封鎖し、特別な視覚効果を生じさせる設計を提供する効果を有する。
【図面の簡単な説明】
【００１０】
【図１】本考案の外観構造図である。
【図２】図１の構造に関する分解図である。
【図３】本考案の一部断面に関する容器と蓋体のそれぞれの構造図である。
【図４】本考案の一部断面に関する容器と蓋体との組み合わせ構造図である。
【図５】本考案の実施例に関するレバー或いは取っ手操作による容器の状態図である。
【図６】本考案のもう一つの実施例に関する容器と蓋体との構造配置図である。
【図７】図６で示した実施例に関する容器と蓋体とを組み合わせたが、未回転鎖合状態時の開口とスカート部間の関係位置図である。
【図８】図６で示したもう一つの実施例に関する容器と蓋体を組み合わせ、回転鎖合状態にした時の、開口とスカート部間の関係位置図である。
【図９】本考案の実施可能な例に関する蓋体に嵌合部を配置した状態図である。
【図１０】図９の実施例に関する嵌合部とレバー或いは取っ手との組み合わせ図である。
【図１１】本考案を応用した実施例に関し、嵌合部に爪状体または鉤状体を形成するとともに、容器に挟込式補助柄を配置した図である。
【図１２】図１１の実施例に関する嵌合部とレバー或いは取っ手とのを組み合わせ図である。
【図１３】本考案を応用したもう一つの実施例に関するレバー或いは取っ手が梃子形態を形成していることを示す図である。
【図１４】図１３の実施例に関し、嵌合部とレバー或いは取っ手とを組み合わせた状態図である。
【図１５】本考案のもう一つの実施可能例に関し、レバー或いは取っ手がホール形態を形成していることを示す図である。
【図１６】図１５の実施例に関し、嵌合部とレバー或いは取っ手とを組み合わせた状態図である。
【図１７】本考案の更に別の実施可能例に関し、嵌合部が突出耳形態を形成していることを示す図である。
【考案を実施するための形態】
【００１１】
次に、本考案が備える新規性、特徴、及びその他の目的と効果に対し、添付図面を組み合わせた詳細説明を行い、理解を深めていただく。
【実施例】
【００１２】
図１及び図２に示した本考案の急須は、容器及び蓋体を組み合わせたものであり、それぞれ番号の１０及び２０によって表示する。容器１０は、剛性壁１１と剛性壁１１によって区切られる内部空間１２とを備え、流体、飲料、茶、それらの類似物を中に充填するものである。採用した実施例において、容器１０は、急須形態をなし、開口１３を備える。開口１３上には制限部１４と制限部１４に隣接する溝１５を備える。図中には特に、制限部１４が、開口１３に向かう直径方向に突出した突出体に類似する形態を成すことを示す。
【００１３】
図２及び図３に示すとおり、蓋体２０は、上部２１と、上部２１下方向に形成したスカート部２２を備える。容器１０の制限部１４と溝１５に対応するスカート部２２には、ショルダー部２３を配置し、ショルダー部２３と溝１５が向き合う時、スカート部２２は容器１０の開口１３裏面に進入し、これにより、蓋体２０は、回転可能状態で容器１０を封鎖する。具体的に説明をすると、ショルダー部２３は、非連続的な形態をなし、ショルダー部２３間は切口２４によって区切られる。これにより、ショルダー部２３と溝１５が向き合う時、ショルダー部２３は、容器溝１５に進入する。容器１０の制限部１４は、蓋体２０の切口２４を通過可能であり、スカート部２２を容器開口１３に進入させ、並びに、蓋体２０が開口１３上で自在に回転することを可能とする。
【００１４】
説明を加えるべきことは、前述した制限部と溝は実施可能な例において、蓋体２０のスカート部２２上に配置変更することも可能である。また、対応するショルダー部を容器１０の開口１３箇所に配置変更することも可能であり、両者間は同様の組み合わせ効果を果たす。
【００１５】
図４に示すとおり、蓋体２０を回転すると、容器制限部１４と蓋体ショルダー部２３とは係合関係を生じさせるため、蓋体２０は容器開口１３を封鎖し、容器１０と分解されない状態となる。図中では特に、容器制限部１４が引っ掛けられて蓋体上部２１とショルダー部２３との間に位置する状態を示している。これにより、使用者が蓋体２０を回転させて、蓋体の切口２４を容器制限部１４の位置まで移動（或いはショルダー部２３を溝１５位置まで移動）させて初めて、ショルダー部２３と制限部１４の係合関係が解除され、蓋体２０と容器１０が分かれる。
【００１６】
好ましい実施例において、レバー或いは取っ手３０は、蓋体２０の上部２１に配置される。これにより、使用者には、容器１０上にある蓋体２０を自在に回転或いは開閉し、容器１０から内部の流体や茶等を注ぐメカニズムを提供する。これは、図５に示すとおりである。基本的に、図中のレバー或いは取っ手３０は、蓋体２０と一体成型をなし、しかも、レバー或いは取っ手３０のデザインは、伝統的な球体形状に制限されず、特に、製造者は、自分の好みに応じて掴むのに適当な世界万物をデザイン化できるため、蓋体２０の全体的外観は、伝統的な型にはまりきったデザインを超えられる。例えば、図１に示したような古銭を重ね合わせて延伸するデザインを一例とする。その他、我々が接触できる有形物品または抽象的造形は全て考案の題材とみなされる。
【００１７】
前述の図２と比較して、図６には、修正を加えた実施例を示す。容器１０の制限部１４ａは、開口１３に沿って環状輪廓のような突出肋骨形態である。並びに、制限部１４ａの間は溝１５ａで区切られる。蓋体２０のショルダー部２３ａには、前記制限部１４ａと溝１５ａに対応する突出体の如き形態を形成し、並びに、ショルダー部２３ａ間は、環状輪廓のような切口２４ａで区切られる。
【００１８】
これにより、ショルダー部２３ａと溝１５ａとを向き合わせる時、ショルダー部２３ａは容器溝１５ａを通過する。容器１０の制限部１４ａは、蓋体２０の切口２４ａに進入するため、スカート部２２は容器開口１３に進入し、並びに、蓋体２０は開口１３上で自在に回転する。蓋体２０を回転させると、蓋体ショルダー部２３ａは、容器制限部１４ａには係合関係が生まれ、蓋体２０は容器開口１３を封鎖し、容器１０と分離しない状態となり、容器制限部１４ａは、蓋体上部２１とショルダー部２３ａ間に引き掛けられる。これは、図７及び図８に示す通りである。この状況のもとでは、使用者が蓋体２０を回転させ、蓋体ショルダー部２３ａを溝１５ａ位置まで移動しない限りは、ショルダー部２３ａと制限部１４ａの係合関係を解除し、蓋体２０と容器１０を分離することはできない。
【００１９】
図９及び図１０には、本考案の実施可能な例を示す。図中に示した蓋体２０とレバー或いは取っ手３０は、自在に着脱可能な形態を成している。蓋体２０の上部２１には、嵌合部２５を設け、採用した実施例において、嵌合部２５は、蓋体２０或いは上部２１上に形成する凹穴２５ａと阻止部材２５ｂとを備える。前記嵌合部２５に対応するレバー或いは取っ手３０には、挿入結合部３１を配置する。前記挿入結合部３１は、嵌合部２５の凹穴２５ａの裏側面に挿入可能で、阻止部材２５ｂと係合関係を生じさせ、レバー或いは取っ手３０と蓋体嵌合部２５とは枢着形態を成す。使用者が挿入結合部３１と嵌合部２５の係合関係をなす組み合わせ状態を解除しない限りは、レバー或いは取っ手３０と蓋体２０とは分離することはない。
【００２０】
図９及び図１０の仮想線部分には可能である考えを示した。その内、嵌合部２５と挿入結合部３１上には固定孔２５ｃ、３１ｃを設けて、固定器４０（例えば、ピン、ネジ等）で枢着する。図中に描写した固定孔２５ｃは、阻止部材２５ｂ上に配置する。
【００２１】
図１１及び図１２には、本考案の応用である実施例を示す。図中の蓋体２０とレバー或いは取っ手３０は自在に着脱可能な形態とする。蓋体２０の上部２１には嵌合部２５を設け、採用した実施例中の嵌合部２５は、爪状または鉤状形態とする。前記爪状または鉤状の嵌合部２５に対応するレバー或いは取っ手３０には、分岐形態の挿入結合部３１を形成する。前記挿入結合部３１は、嵌合部２５上に挿設するため、レバー或いは取っ手３０と蓋体嵌合部２５には枢着形態が形成される。使用者が挿入結合部３１と嵌合部２５の組み合わせ状態を解除しない限りは、レバー或いは取っ手３０と蓋体２０を分離させることはできない。
【００２２】
図１１及び図１２の仮想線部分には応用される考えを示した。その内、嵌合部２５と挿入結合部３１上には固定孔２５ｃ、３１ｃを設け、固定器４０（例えば、ピン等）で枢着する。
【００２３】
理解できる点は、前述した各図中に示したレバー或いは取っ手３０と蓋体２０（或いは嵌合部２５）の組み合わせは、個人の好みに応じて異なる造形設計とすることができるため、レバー或いは取っ手３０を蓋体２０に組み合わせる時、各種異なる特別な視覚効果を生じさせることができ、公知とは異なる容器にデザイン可能である。図１１及び図１２には、容器１０に配置し、剛性壁１１上に形成した挟込式補助柄１６を示す。挟込式補助柄１６は、特に、使用者がレバー或いは取っ手３０を回転して蓋体２０を締めた時に、レバー或いは取っ手３０は、図中の仮想線部分で示した位置の如く、挟込式補助柄１６の上方まで回転する。これにより、使用者は、それぞれの二本の指を向き合わせ、レバー或いは取っ手３０と挟込式補助柄１６を挟み込んで容器１０を掴むとともに、蓋体２０に対して緊密に握る形態を生じさせる故、脱落を防止できる。また、蓋体２０と容器１０間が緩むことによって生じる異音を消す効果を果たす。しかも、造形上においては、多元性を備えた創作空間を提供し、製造者は、挟込式補助柄１６を前述の万物の外形にデザイン可能で、容器１０の全体的な視覚及びフィーリングを変化させられる。
【００２４】
図１３及び図１４には、本考案を応用したもう一つの実施例を示す。図中に示したとおり、蓋体２０とレバー或いは取っ手３０は、自在に着脱可能な形態とする。蓋体２０の上部２１には嵌合部２５を配置し、採用した実施例の嵌合部２５は、爪状または鉤状形態をなす。前記の爪状または鉤状の嵌合部２５に対応するレバー或いは取っ手３０には、梃子形態をなす挿入結合部３１を配置する。前記挿入結合部３１は、嵌合部２５上に挿入結合するため、レバー或いは取っ手３０と蓋体嵌合部２５は枢着形態を形成する。使用者が挿入結合部３１と嵌合部２５の組み合わせ状態を解除しない限りは、レバー或いは取っ手３０と蓋体２０が分離することはない。
【００２５】
図１３及び図１４の仮想線部分は、応用される考えを示す。その内、嵌合部２５と挿入結合部３１上には固定孔２５ｃ、３１ｃを備え、固定器４０を枢設する。
【００２６】
図１５及び図１６には、本考案のもう一つの実施可能な例を示す。図中の蓋体２０とレバー或いは取っ手３０は、自在に着脱可能な形態とする。蓋体２０の上部２１には、嵌合部２５を配置し、採用する実施例での嵌合部２５は、爪状または鉤状の形態とする。前記爪状または鉤状の嵌合部２５に対応するレバー或いは取っ手３０には、ホール形態をなす挿入結合部３１を配置する。前記挿入結合部３１は、嵌合部２５上に挿入結合し、レバー或いは取っ手３０と蓋体嵌合部２５を枢着形態とする。使用者が挿入結合部３１と嵌合部２５の組み合わせ状態を解除しない限りは、レバー或いは取っ手３０と蓋体２０とは分離することはない。
【００２７】
図１７には、本考案の更に別の実施可能な例を示す。図中に示した蓋体２０とレバー或いは取っ手３０は、自在に着脱可能な形態とする。蓋体２０の上部２１には嵌合部２５を配置し、採用する実施例中の嵌合部２５は、突出耳形態とし、固定孔２５ｃを備える。前記嵌合部２５に対応するレバー或いは取っ手３０には、固定孔３１ｃを含む挿入結合部３１を配置する。前記挿入結合部３１は、嵌合部２５上に挿入結合し、並びに、固定器４０を固定孔２５ｃ、３１ｃに枢着して、レバー或いは取っ手３０と蓋体嵌合部２５とを枢着形態にする。使用者が固定器４０、挿入結合部３１、嵌合部２５の組み合わせ状態を解除しない限りは、レバー或いは取っ手３０と蓋体２０とが分離することはない。
【００２８】
本考案は、効果的な急須を提供するものである。その空間形態は、従来品とは異なり、しかも、公知技術とは比較にならない長所を備え、格別な進歩性が見られ、十分に実用新案の条件を満たすものである。
【００２９】
但し、上述したものは、単に本考案の実施可能な例を列挙しただけであり、本考案の実施範囲を限定するものではない。即ち、本考案の実用新案登録請求の範囲に基づいてなされる同等効果を有する変化及び修飾は全て、本考案の実用新案の範囲に含まれるものとすることを、ここに明記する。
【符号の説明】
【００３０】
１０                容器
１１                剛性壁
１２                内部空間
１３                開口
１４、１４ａ        制限部
１５、１５ａ        溝
１６                挟込式補助柄
２０                蓋体
２１                上部
２２                スカート部
２３、２３ａ        ショルダー部
２４、２４ａ        切口
２５                嵌合部
２５ａ              凹穴
２５ｂ              阻止部材
２５ｃ、３１ｃ      固定孔
３０                レバー或いは取っ手
３１                挿入結合部
４０                固定器
【図１】
0003169332.tif 000003
【図２】
0003169332.tif 000004
【図３】
0003169332.tif 000005
【図４】
0003169332.tif 000006
【図５】
0003169332.tif 000007
【図６】
0003169332.tif 000008
【図７】
0003169332.tif 000009
【図８】
0003169332.tif 000010
【図９】
0003169332.tif 000011
【図１０】
0003169332.tif 000012
【図１１】
0003169332.tif 000013
【図１２】
0003169332.tif 000014
【図１３】
0003169332.tif 000015
【図１４】
0003169332.tif 000016
【図１５】
0003169332.tif 000017
【図１６】
0003169332.tif 000018
【図１７】
0003169332.tif 000019